(57)【特許請求の範囲】
【請求項１】
車室と当該車室前方に位置する車両前部空間とを仕切るダッシュパネルの上部に設けられて車両前方側に延設された延設部と、
前記車両前部空間に配置されて少なくとも一部が車両正面視で前記延設部とオーバーラップする位置に設定された電装部品と、
前記車両前部空間に配置されて車両側面視の断面形状がＬ字形状とされ、車体側に取り付けられた下壁部と、前記下壁部の車両後方側の端部から屈曲されて車両上方側に延設されると共に上部に前記電装部品が取り付けられた縦壁部と、を備えたブラケットと、
を有し、
前記電装部品を第一車載部品とし、前記第一車載部品に対して車両前方側に離間して第二車載部品が配置され、かつ前記第二車載部品は車両正面視で前記第一車載部品の下部とオーバーラップする位置に設定されており、
前記ブラケットには、前記下壁部に前記第二車載部品が取り付けられている、車両前部構造。
【請求項２】
前記ブラケットを支持して車両前後方向に延在する支持部材を有し、
前記支持部材における車両前方側の部位に前記電装部品よりも車両前方側に配置されて車両幅方向に延在する閉断面部が形成されている、請求項１記載の車両前部構造。
【請求項３】
前記電装部品と、前記ブラケットと、を含んで構成された電装ユニットを有し、
前記支持部材における前記閉断面部の車両前方側の端部が前記電装ユニットよりも車両前方側に配置されている、請求項２記載の車両前部構造。
【請求項４】
前記縦壁部の車両前方側の面に前記電装部品が取り付けられている、請求項１〜請求項３のいずれか１項に記載の車両前部構造。
【発明の詳細な説明】
【技術分野】
【０００１】
本発明は、車両前部構造に関する。
【背景技術】
【０００２】
車両前部においては、インバータやコンバータ等の電装部品を含んで構成された高電圧ユニットがモータルーム内に配置された構造が知られている（例えば、特許文献１参照）。
【先行技術文献】
【特許文献】
【０００３】
【特許文献１】特開２０１１−０２０６２４公報
【発明の概要】
【発明が解決しようとする課題】
【０００４】
しかしながら、このような構造では、例えば、電装部品がその車両後方側に配置されるカウル等の部材に対して車両正面視でオーバーラップするように配置されている場合には、車両の前面衝突時にカウル等の部材が電装部品に車両後方側から干渉してしまう可能性がある。このため、車両の前面衝突時に電装部品の損傷を防止又は抑制する点において改善の余地がある。
【０００５】
本発明は、上記事実を考慮して、車両の前面衝突時に電装部品の損傷を防止又は抑制することができる車両前部構造を得ることが目的である。
【課題を解決するための手段】
【０００６】
請求項１に記載する本発明の車両前部構造は、車室と当該車室前方に位置する車両前部空間とを仕切るダッシュパネルの上部に設けられて車両前方側に延設された延設部と、前記車両前部空間に配置されて少なくとも一部が車両正面視で前記延設部とオーバーラップする位置に設定された電装部品と、前記車両前部空間に配置されて車両側面視の断面形状がＬ字形状とされ、車体側に取り付けられた下壁部と、前記下壁部の車両後方側の端部から屈曲されて車両上方側に延設されると共に上部に前記電装部品が取り付けられた縦壁部と、を備えたブラケットと、を有し、前記電装部品を第一車載部品とし、前記第一車載部品に対して車両前方側に離間して第二車載部品が配置され、かつ前記第二車載部品は車両正面視で前記第一車載部品の下部とオーバーラップする位置に設定されており、前記ブラケットには、前記下壁部に前記第二車載部品が取り付けられている。
【０００７】
請求項１に記載する本発明の車両前部構造によれば、ブラケットの上部に取り付けられた電装部品は、車両前部空間に配置され、ダッシュパネルの上部に設けられた延設部と車両正面視で少なくとも一部がオーバーラップする位置に設定されている。従って、車両の前面衝突時にブラケットがダッシュパネルの側に後退した場合、ブラケットが変形しなければ、電装部品は延設部の側へ接近することになる。
【０００８】
ここで、ブラケットは、車両側面視の断面形状がＬ字形状となっており、下壁部が車体側に取り付けられると共に、電装部品が上部に取り付けられた縦壁部が下壁部の車両後方側の端部から屈曲されて車両上方側に延設されている。このため、車両の前面衝突時には、電装部品に作用する車両前方側への慣性力によって、ブラケットは、縦壁部と下壁部との境界の屈曲点を起点として、縦壁部の自由端側である上端側が車両前方側へ倒れ込むように変形する。従って、基本的には延設部と電装部品との干渉が回避され、仮に延設部が電装部品に干渉しても、縦壁部が倒れ込むことで延設部側から電装部品側へ作用する衝撃が抑えられる。
【００１０】
また、この車両前部構造によれば、第一車載部品の車両前方側には第二車載部品が第一車載部品に対して離間して配置されているが、第二車載部品は、車両正面視で第一車載部品の下部とオーバーラップする位置に設定されているので、第二車載部品と第一車載部品との車両前後方向の距離を短く設定しても、車両の前面衝突時には、ブラケットの縦壁部が所定量倒れ込むまでは、第一車載部品と第二車載部品との干渉が回避される。
【００１２】
また、この車両前部構造によれば、第一車載部品及び第二車載部品は、同一のブラケットに取り付けられることによって、一体的に取り扱い可能なユニット化が図られている。また、第一車載部品及び第二車載部品は、その取付相手が同一のブラケットであるため、両者の車両前後方向における取付範囲も限られた範囲になっており、省スペース化が図られる。一方、第一車載部品及び第二車載部品の車両前後方向における取付範囲が限られた範囲（狭い範囲）であっても、車両の前面衝突時には、ブラケットの縦壁部が所定量倒れ込むまでは、第一車載部品と第二車載部品との干渉が回避される。
【００１３】
請求項２に記載する本発明の車両前部構造は、請求項１記載の構成において、前記ブラケットを支持して車両前後方向に延在する支持部材を有し、前記支持部材における車両前方側の部位に前記電装部品よりも車両前方側に配置されて車両幅方向に延在する閉断面部が形成されている。
【００１４】
請求項２に記載する本発明の車両前部構造によれば、ブラケットを支持する支持部材は、車両前後方向に延在すると共に車両前方側の部位に車両幅方向に延在する閉断面部が形成されているので、車両の前面衝突時には支持部材における車両前方側の部位の変形が抑えられる。ここで、支持部材における車両前方側の部位に形成された閉断面部は、電装部品よりも車両前方側に配置されているので、支持部材に対して車両前方側に配置された部材と電装部品との干渉が防止又は抑制される。
【００１５】
請求項３に記載する本発明の車両前部構造は、請求項２記載の構成において、前記電装部品と、前記ブラケットと、を含んで構成された電装ユニットを有し、前記支持部材における前記閉断面部の車両前方側の端部が前記電装ユニットよりも車両前方側に配置されている。
【００１６】
請求項３に記載する本発明の車両前部構造によれば、支持部材における閉断面部の車両前方側の端部は、電装部品とブラケットとを含んで構成された電装ユニットよりも車両前方側に配置されているので、車両の前面衝突時には、支持部材に対して車両前方側に配置された部材と電装ユニットとの干渉が防止又は抑制される。
【００１７】
請求項４に記載する本発明の車両前部構造は、請求項１〜請求項３のいずれか１項に記載の構成において、前記縦壁部の車両前方側の面に前記電装部品が取り付けられている。
【００１８】
請求項４に記載する本発明の車両前部構造によれば、ブラケットの縦壁部の車両前方側の面に電装部品が取り付けられているので、電装部品は、縦壁部に対して、車両の前面衝突時における縦壁部の倒れ込み側に位置する。このため、車両の前面衝突時には、電装部品が慣性マスとして効果的に作用し、ブラケットの縦壁部が容易に変位する。
【発明の効果】
【００１９】
以上説明したように、本発明に係る車両前部構造によれば、車両の前面衝突時に電装部品の損傷を防止又は抑制することができるという優れた効果を有する。
【図面の簡単な説明】
【００２０】
【図１】本発明の一実施形態に係る車両前部構造を示す側断面図である。
【図２】本発明の一実施形態に係る車両前部構造を示す概略平面図である。
【図３】本発明の一実施形態に係る車両前部構造における車両の前面衝突時の作用を説明するための模式的な側断面図である。
【発明を実施するための形態】
【００２１】
（実施形態の構成）
本発明の一実施形態に係る車両前部構造について図１〜図３を用いて説明する。なお、これらの図において適宜示される矢印ＦＲは車両前方側を示しており、矢印ＵＰは車両上方側を示しており、矢印Ｗは車両幅方向を示している。また、本実施形態の車両としては、電気自動車（又はハイブリッド電気自動車）が適用される。
【００２２】
図１には、本実施形態に係る車両前部構造の側断面図が示されている。なお、図１は、車両前部を車両幅方向のほぼ中央で切断した状態を車両側方から見た状態で示している。また、図２には、車両前部構造の概略平面図が示されている。
【００２３】
これらの図に示されるように、車両前部１０には、原動機として搭載されるモータ（図示省略、電動機）等が収容される車両前部空間としてのモータコンパートメント（モータルームともいう。）１０Ａが形成されると共に、車両幅方向の両サイドに左右一対のフロントサイドメンバ１４が車両前後方向を長手方向として配置されている。フロントサイドメンバ１４は、車体骨格部材であり、閉断面構造に構成されている。また、図２に示されるように、各フロントサイドメンバ１４の前端部には、角筒形状に形成されたクラッシュボックス１６が同軸上に接合されている。クラッシュボックス１６は、軸方向荷重を受けると圧縮塑性変形してエネルギー吸収するようになっている。
【００２４】
また、左右のクラッシュボックス１６の前端部は、フロントバンパリインフォースメント２０に接合されている。フロントバンパリインフォースメント２０は、車両前端部に略車両幅方向を長手方向として配置され、平面視では中央部が両端部よりも車両前方側に膨らんだ湾曲形状を成している。このフロントバンパリインフォースメント２０は、フロントバンパ１８の骨格部材を構成する部材であり、閉断面構造とされている。フロントバンパ１８は、フロントバンパリインフォースメント２０と、意匠面を構成するフロントバンパカバー２２と、を含んで構成されている。
【００２５】
一方、図１に示されるように、フロントサイドメンバ１４の後端部は、ダッシュパネル（車体客室前壁）２４に接合されている。ダッシュパネル２４は、車室としてのキャビン１２と、キャビン１２の前方に位置するモータコンパートメント１０Ａとを仕切っている。ダッシュパネル２４の上端部は、延設部としてのカウル２６と結合されている。カウル２６は、樋状とされ、ダッシュパネル２４の上端部から車両前方側に延設されると共に、フロントウインドシールドガラス（図示省略）の下縁に沿って略車両幅方向に延在し、左右のフロントピラー（図示省略）を連結している。カウル２６は、キャビン１２内へ入る空気と水を分離する機能を有し、断面内にはワイパ機構（図示省略）が収納されている。なお、カウル２６は、複数のパネルで構成されているが、図中では、これを簡略化して一枚のパネルで示すと共に、形状自体も簡略化して図示している。
【００２６】
ダッシュパネル２４の車両前方側となるモータコンパートメント１０Ａにおいて、前述した左右のクラッシュボックス１６に対して車両幅方向内側には、車体骨格部材を構成するラジエータサポート２８が配設されている。ラジエータサポート２８は、車両正面視で略矩形枠状に形成されており、ラジエータサポート２８の枠内には、冷却系部品３０Ａが配設されている。冷却系部品３０Ａは、冷却ユニット３０（クーリングモジュール）の一部を構成する熱交換用とされ、ラジエータとコンデンサとが一体化されている。また、冷却系部品３０Ａの車両後方側には、冷却ユニット３０の一部を構成するファン３０Ｂが隣接配置され、車体に取り付けられている。
【００２７】
また、図２に示されるように、左右一対のフロントサイドメンバ１４の長手方向の中間部の間には、支持部材としてのモータコンパートメントクロスメンバ３２（以下、単に「クロスメンバ３２」という。）が車両幅方向に掛け渡されてファン３０Ｂよりも車両後方側に配置されている。クロスメンバ３２の車両幅方向の両端部は、フロントサイドメンバ１４にボルト締結（又は溶接）等により結合されている。図１に示されるように、クロスメンバ３２は、車両前後方向に延在しており、上部側を構成するモータコンパートメントクロスメンバアッパ３４（以下、単に「クロスメンバアッパ３４」という。）と、下部側を構成するモータコンパートメントクロスメンバロア３６（以下、単に「クロスメンバロア３６」という。）と、を備えている。
【００２８】
クロスメンバアッパ３４は、車両側面視の縦断面形状が矩形波状を成すように形成されている。すなわち、クロスメンバアッパ３４は、前部に第一凸部３４Ａ、後部に第二凸部３４Ｃがそれぞれ車両上方側へ突出形成され、第一凸部３４Ａの後下端部と第二凸部３４Ｃの前下端部とが平坦部３４Ｂにより連結されると共に、後端部３４Ｄが第二凸部３４Ｃの後下端部から車両後方側へ向けて延設されている。
【００２９】
これに対して、クロスメンバロア３６には、クロスメンバアッパ３４の第一凸部３４Ａに対して車両下方側に配置された凹部３６Ａが形成されており、この凹部３６Ａは、車両上方側が開放されて車両下方側へ突出形成されている。クロスメンバロア３６の凹部３６Ａにおける前端上部の前面は、クロスメンバアッパ３４の第一凸部３４Ａにおける前端下部の後面に溶接により結合されている。また、クロスメンバロア３６には、凹部３６Ａの後上端部から屈曲されて車両後方側へ延設されたフランジ部３６Ｂが形成されており、クロスメンバアッパ３４の平坦部３４Ｂの前端部に対して車両下方側に配置されている。そして、クロスメンバロア３６のフランジ部３６Ｂにおける上面は、クロスメンバアッパ３４の平坦部３４Ｂにおける前端部の下面に溶接により結合されている。
【００３０】
これらによって、クロスメンバ３２における車両前方側の部位（前端部）には、クロスメンバアッパ３４とクロスメンバロア３６とで閉断面部３８が形成されている。この閉断面部３８は、車両幅方向に延在している。
【００３１】
クロスメンバ３２の第二凸部３４Ｃの車両上方側には、電装ユニットとしての高電圧ユニット４０が配置されている。モータコンパートメント１０Ａに配置された高電圧ユニット４０の車両前後方向位置は、クロスメンバ３２の閉断面部３８の車両前方側の端部位置よりも車両後方側に設定されている。高電圧ユニット４０は、充電器４２、ブラケット４４、電装部品としての第一車載部品としてのかつＤＣ／ＤＣコンバータ５２、及び第二車載部品としてのＰＴＣ（Ｐｏｓｉｔｉｖｅ  Ｔｅｍｐｅｒａｔｕｒｅ  Ｃｏｅｆｆｉｃｉｅｎｔ）ヒータ５４を含んで構成されている。なお、充電器４２、ＤＣ／ＤＣコンバータ５２、及びＰＴＣヒータ５４は、補機（電力機器）として把握される要素である。
【００３２】
充電器４２は、自動車の駆動用電池を充電するための機器であり、クロスメンバ３２上の車両幅方向中間部に配置されて略直方体形状とされている。この充電器４２は、その外郭がハウジングによって構成されており、ハウジングから水平に張り出した固定用のフランジ部（図示省略）が第一凸部３４Ａ及び第二凸部３４Ｃの頂壁部にボルト締結によって固定されている。
【００３３】
充電器４２の上面にはブラケット４４が固定されている。ブラケット４４は、車両側面視の縦断面形状がＬ字形状とされたマウントブラケットであり、その上部に対する荷重入力が（車両幅方向の場合や車両上下方向の場合に比べて）車両前後方向の場合に変形しやすくなるように配設されている。なお、ブラケット４４は、車両幅方向や車両上下方向の荷重入力に対して十分な強度・剛性を有し、車両の通常走行時における加減速に伴う車両前後方向の荷重入力に対しても十分な強度・剛性を有している。
【００３４】
ブラケット４４は、下壁部４６が充電器４２の上面に固定されている。すなわち、下壁部４６は、充電器４２を介して車体側のクロスメンバ３２に取り付けられている。これによって、ブラケット４４はクロスメンバ３２に支持されている。また、ブラケット４４は、下壁部４６の車両後方側の端部（車両前後方向の一方の端部）から屈曲されて（屈曲点を符号４８で示す）車両上方側に延設された縦壁部５０を備えている。ブラケット４４の縦壁部５０の上部は、車両正面視でカウル２６とオーバーラップする位置に設定されている。
【００３５】
ブラケット４４の縦壁部５０の上部には、その前面（車両前方側の面）にＤＣ／ＤＣコンバータ５２が取り付けられている。換言すれば、ＤＣ／ＤＣコンバータ５２は、ブラケット４４の縦壁部５０において屈曲点４８から離れた部位でかつ重心が縦壁部５０よりも車両前方側となるように設定されている。ＤＣ／ＤＣコンバータ５２は、直流電源の電圧を変換する電力変換装置（高電圧部品）である。ＤＣ／ＤＣコンバータ５２の上部は、車両正面視でカウル２６とオーバーラップする位置に設定されている。また、ＤＣ／ＤＣコンバータ５２の車両前後方向位置は、クロスメンバ３２の閉断面部３８よりも車両後方側に設定されている。
【００３６】
また、ブラケット４４の下壁部４６の前端部には、その上面にＰＴＣヒータ５４が取り付けられている。ＰＴＣヒータ５４は、ＤＣ／ＤＣコンバータ５２に対して車両前方側に離間して配置されて車両正面視でＤＣ／ＤＣコンバータ５２の下部とオーバーラップする位置に設定されている。また、ＰＴＣヒータ５４とＤＣ／ＤＣコンバータ５２との間には、他の車載部材が配置されていない。
【００３７】
（実施形態の作用・効果）
次に、上記実施形態の作用及び効果について説明する。
【００３８】
図１及び図２に示されるように、車両前部１０の前面衝突前の状態では、ブラケット４４の上部に取り付けられたＤＣ／ＤＣコンバータ５２は、ダッシュパネル２４の上部に設けられたカウル２６と車両正面視で一部がオーバーラップする位置に設定されている。
【００３９】
この状態から図３に示されるように車両前部１０がバリア（衝突体）５６に前面衝突すると、その際の衝突荷重はフロントバンパリインフォースメント２０からクラッシュボックス１６を介してフロントサイドメンバ１４に入力される。これにより、クラッシュボックス１６は軸方向に圧縮されて塑性変形し、更に、フロントサイドメンバ１４の前部が軸方向に圧縮されて塑性変形することにより、衝突エネルギーが吸収される。この過程で、バリア５６は、フロントサイドメンバ１４をダッシュパネル２４の側へ押圧すると共に、冷却ユニット３０等を介してクロスメンバ３２をダッシュパネル２４の側へ押圧するので、ブラケット４４はダッシュパネル２４の側へ後退する。その結果、ブラケット４４が変形しなければ、対向位置にあるＤＣ／ＤＣコンバータ５２がカウル２６の側へ接近することになる。
【００４０】
ここで、図１に示されるように、ブラケット４４は、車両側面視の断面形状がＬ字形状となっており、下壁部４６が充電器４２を介して車体側のクロスメンバ３２に取り付けられると共に、ＤＣ／ＤＣコンバータ５２が上部に取り付けられた縦壁部５０が下壁部４６の車両後方側の端部から屈曲されて車両上方側に延設されている。このため、車両の前面衝突時には、図３に示されるように、ＤＣ／ＤＣコンバータ５２に作用する車両前方側への慣性力によって、ブラケット４４は、縦壁部５０と下壁部４６との境界の屈曲点４８を起点として、縦壁部５０の自由端側である上端側が車両前方側に倒れ込むような変形モードで変形する。換言すれば、縦壁部５０は屈曲点４８を回転中心（回転軸）として回転移動する。
【００４１】
そして、図１に示されるように、本実施形態では、ＤＣ／ＤＣコンバータ５２がブラケット４４の縦壁部５０の車両前方側の面に取り付けられているので、ＤＣ／ＤＣコンバータ５２は、縦壁部５０に対して、車両の前面衝突時における縦壁部５０の倒れ込み側に位置している。このため、車両の前面衝突時には、ＤＣ／ＤＣコンバータ５２が慣性マスとして効果的に作用し、図３に示されるように、ブラケット４４の縦壁部５０が容易に倒れ込むように変位する。
【００４２】
従って、基本的にはカウル２６とＤＣ／ＤＣコンバータ５２との干渉が回避され、仮にカウル２６がブラケット４４の上部を介してＤＣ／ＤＣコンバータ５２に干渉しても、縦壁部５０が倒れ込むことでカウル２６側からＤＣ／ＤＣコンバータ５２側へ作用する衝撃が抑えられる。
【００４３】
また、図１に示されるように、ＤＣ／ＤＣコンバータ５２の車両前方側には、ＰＴＣヒータ５４がブラケット４４の下壁部４６に取り付けられている。ＰＴＣヒータ５４は、ＤＣ／ＤＣコンバータ５２に対して離間して配置されているが、ＤＣ／ＤＣコンバータ５２及びＰＴＣヒータ５４は、その取付相手が同一のブラケット４４であるため、両者の車両前後方向における取付範囲も限られた範囲（狭い範囲）になっており、省スペース化が図られている。一方、ＰＴＣヒータ５４は、車両正面視でＤＣ／ＤＣコンバータ５２の下部とオーバーラップする位置に設定されている。このため、ＰＴＣヒータ５４とＤＣ／ＤＣコンバータ５２との車両前後方向の距離を短く設定しても、車両の前面衝突時には、ブラケット４４の縦壁部５０が所定量倒れ込む（ストロークする）までは、ＤＣ／ＤＣコンバータ５２とＰＴＣヒータ５４との干渉が回避される（図３参照）。
【００４４】
さらに、本実施形態に係る車両前部構造では、ブラケット４４を支持するクロスメンバ３２は、車両前後方向に延在すると共に車両前方側の部位に車両幅方向に延在する閉断面部３８が形成されているので、車両の前面衝突時にはクロスメンバ３２における車両前方側の部位の変形が抑えられる。ここで、クロスメンバ３２における車両前方側の部位に形成された閉断面部３８の車両前方側の端部は、ＤＣ／ＤＣコンバータ５２を備えた高電圧ユニット４０よりも車両前方側に配置されているので、図３に示されるように、クロスメンバ３２に対して車両前方側に配置された冷却ユニット３０及びラジエータサポート２８と高電圧ユニット４０との干渉が防止又は抑制される。補足すると、車両の前面衝突時における高電圧ユニット４０の周辺部品（冷却ユニット３０等）の変形モードを予測するのは難しいが、本実施形態ではクロスメンバ３２の前端部の変形を抑えることで、クロスメンバ３２に対して車両前方側に配置された周辺部品が高電圧ユニット４０と干渉する可能性を小さくしている。
【００４５】
以上説明したように、本実施形態に係る車両前部構造によれば、車両の前面衝突時にＤＣ／ＤＣコンバータ５２の損傷を防止又は抑制することができる。
【００４６】
なお、ＤＣ／ＤＣコンバータ５２及びＰＴＣヒータ５４は、同一のブラケット４４に取り付けられることによって、ユニット化が図られているので、一体的な取り扱いが可能になっている。このため、本実施形態では、組み付け作業性も良好となっている。
【００４７】
（実施形態の補足説明）
なお、上記実施形態では、電装部品がＤＣ／ＤＣコンバータ５２の場合を例に挙げて説明したが、電装部品は、例えば、インバータ等の他の電装部品であってもよい。
【００４８】
また、上記実施形態では、電装部品としてのＤＣ／ＤＣコンバータ５２の上部が車両正面視で延設部としてのカウル２６とオーバーラップする位置に設定されているが、電装部品は、その全部が車両正面視で延設部とオーバーラップする位置に設定されたものであってもよい。
【００４９】
また、上記実施形態では、延設部がカウル２６である場合を例に挙げて説明したが、延設部は、例えば、ダッシュパネルの上部を構成するダッシュアッパパネルにおいて車両前方側に延設された部分等のような他の延設部としてもよい。
【００５０】
また、上記実施形態では、ブラケット４４の縦壁部５０の上部は、車両正面視でカウル２６とオーバーラップする位置に設定されているが、電装部品の少なくとも一部が車両正面視で延設部とオーバーラップする位置に設定されていれば、ブラケットの縦壁部の上部が車両正面視で延設部とオーバーラップする位置に設定されていない構成であってもよい。
【００５１】
また、本発明の実施形態ではない参考例として、縦壁部は、下壁部の車両前方側の端部から屈曲されて車両上方側に延設されると共に電装部品が取り付けられた縦壁部であってもよい。
【００５２】
また、上記実施形態では、ＰＴＣヒータ５４がＤＣ／ＤＣコンバータ５２に対して車両前方側に離間して配置されて車両正面視でＤＣ／ＤＣコンバータ５２の下部とオーバーラップする位置に設定されているが、本発明の実施形態ではない参考例としてＰＴＣヒータ５４がこのような位置に設定されない構成とすることも可能である。
【００５３】
また、上記実施形態では、ＰＴＣヒータ５４がブラケット４４の下壁部４６に取り付けられているが、本発明の実施形態ではない参考例としてＰＴＣヒータ５４がブラケット４４以外の部材に取り付けられた構成とすることも可能である。
【００５４】
また、上記実施形態では、支持部材としてのモータコンパートメントクロスメンバ３２の車両前方側の部位に車両幅方向に延在する閉断面部３８が形成されており、このような構成がより好ましいが、閉断面部３８が形成されない構成も可能である。
【００５５】
また、本発明の実施形態ではない参考例として、例えば、（ＰＴＣヒータ（５４）が取り付けられず）電装部品としてのＤＣ／ＤＣコンバータ（５２）のみが取り付けられたブラケット（４４）がモータコンパートメントクロスメンバ（３２）に直接取り付けられると共に、モータコンパートメントクロスメンバ（３２）の閉断面部（３８）がブラケット（４４）の下壁部（４６）の下方側でかつＤＣ／ＤＣコンバータ（５２）よりも車両前方側に配置されているような構成とすることも可能である。
【００５６】
また、上記実施形態では、ブラケット４４における縦壁部５０の車両前方側の面に電装部品としてのＤＣ／ＤＣコンバータ５２が取り付けられており、このような構成がより好ましいが、電装部品は、ブラケットにおける縦壁部の車両後方側の面に取り付けられていてもよい。
【００５７】
さらに、請求項１記載の「Ｌ字形状」の概念には、上記実施形態のように直角に曲げられたものの他、直角よりも若干小さい角度又は直角よりも若干大きい角度で曲げられたものであって、直角に曲げられた場合と実質的に同様の作用及び効果が得られて、実質的に「Ｌ字形状」と把握されるようなものも含まれる。
【００５８】
なお、上記実施形態及び上述の複数の変形例は、適宜組み合わされて実施可能である。
【符号の説明】
【００５９】
１０    車両前部
１０Ａ  モータコンパートメント（車両前部空間）
１２    キャビン（車室）
２４    ダッシュパネル
２６    カウル（延設部）
３２    モータコンパートメントクロスメンバ（支持部材）
３８    閉断面部
４０    高電圧ユニット（電装ユニット）
４４    ブラケット
４６    下壁部
５０    縦壁部
５２    ＤＣ／ＤＣコンバータ（電装部品、第一車載部品）
５４    ＰＴＣヒータ（第二車載部品）
【図１】
0005861387.tif 000002
【図２】
0005861387.tif 000003
【図３】
0005861387.tif 000004